(57)【特許請求の範囲】
【請求項１】
揮散性の薬剤を収める薬剤容器１と送風機２とを備えて、送風機２により吸込口３から空気を吸い込み、薬剤容器１より揮散した薬剤を吸い込んだ空気と共に放出口４から放散する装置本体５と、
装置本体５とは別体となり、装置本体５の送風機２の動力源７を備える電源本体８と、  を備え、
装置本体５と電源本体８とを連結コード９にて連結して電源本体８の動力源７から装置本体５の送風機２に通電可能にすると共に、装置本体５と電源本体８とを直接連結して電源本体８の動力源７から装置本体５の送風機２に通電可能にしたことを特徴とする送風式薬剤放散装置。
【発明の詳細な説明】
【技術分野】
【０００１】
本発明は、装置本体内に殺虫、忌避、消臭、芳香、防菌防黴等の目的に供する揮散性の薬剤を収める薬剤容器と送風機とを備えて、送風機により吸込口から空気を吸い込み、薬剤容器より揮散した薬剤を吸い込んだ空気と共に放出口から放散する送風式薬剤放散装置に関する。
【背景技術】
【０００２】
従来、送風機により吸込口から空気を吸い込み、薬剤容器より揮散した薬剤を吸い込んだ空気と共に放出口から放散する送風式薬剤放散装置としては、図１０、図１１に示すように、装置本体４１の上面に空気を吸い込むための吸込口４２を形成すると共に、その側面に吸い込んだ空気と共に揮散した薬剤を放散する放出口４３を形成する。そして、装置本体４１の上面の吸込口４２には薬剤を収める薬剤容器４４を備え、この薬剤容器４４は内部に揮散性の薬剤を収めると共に、上面と下面とに年輪型スリット状の開口部４５を形成し、この上面と下面とに形成した開口部４５を介して空気が流通するようになっている。さらに、この装置本体４１の内部には送風機４６を備えると共に、この送風機４６の両側に動力源となる電池４７を収納して、この電池４７により送風機４６を動かすようにしている。
【０００３】
このように装置本体４１を構成することで、電池４７により動く内部に備えた送風機４６によって、上面に形成する吸込口４２から空気を吸い込み、吸い込んだ空気が薬剤容器４４内を通過する。そして、薬剤容器４４内を通過した空気と共に揮散した薬剤が側面に形成した放出口４３から外部に放散するようになっている。
【０００４】
一方、前記装置本体４１にあっては、例えば、人の手首等に装着可能にするための着用バンド４８を取り付けている。この着用バンド４８は柔軟性を有する薄細長形状となり、端部にバックル４９を備えたもので、この着用バンド４８により使用者の手首等に装置本体４１を装着できるようにしている。これにより、当該送風式薬剤放散装置を手首等にはめて使用することができる。
【０００５】
【特許文献１】特開２００４−２４１６１号公報
【発明の開示】
【発明が解決しようとする課題】
【０００６】
かかる従来の送風式薬剤放散装置にあっては、装置本体に揮散性の薬剤を収める薬剤容器と、この薬剤容器から揮散した薬剤を放出口から外部に放散するための送風機と、さらに一番の重量物となる送風機を動かす動力源である電池をそれぞれ備えていた。このため、装置本体は大型化し、かつ重量が重くなり、使用者が装置本体の大型化や重い重量によって、非常に使用しずらくなるといった問題が生じるおそれがあった。特に、使用者が当該送風式薬剤放散装置を手首等にはめて使用する場合、その大型化、重量感によって不快な思いを感じることがあった。
【０００７】
そこで、本発明は、上記の問題を解消するために、装置本体の小型化や軽量化を図り、実際に使用する際の使用者の不快感等をなくして、快適に使用することのできる送風式薬剤放散装置を提供することを、その課題とする。
【課題を解決するための手段】
【０００８】
本発明は、揮散性の薬剤を収める薬剤容器と送風機とを備えて、送風機により吸込口から空気を吸い込み、薬剤容器より揮散した薬剤を吸い込んだ空気と共に放出口から放散する装置本体と、装置本体とは別体となり、装置本体の送風機の動力源を備える電源本体と、を備え、装置本体と電源本体とを連結コードにて連結して電源本体の動力源から装置本体の送風機に通電可能にすると共に、装置本体と電源本体とを直接連結して電源本体の動力源から装置本体の送風機に通電可能にした送風式薬剤放散装置である。
【発明の効果】
【００１３】
本発明によれば、送風式薬剤放散装置において、一番の重量物となる動力源を備える電源本体を装置本体と別体にすることができ、装置本体の小型化、軽量化を図ることにより、例えば、使用者が当該送風式薬剤放散装置の装置本体を手首等にはめて、電源本体をズボンや服のポケット等にしまって使用する場合、装置本体の小型化、軽量化により不快な思いを感じることなく、極めて快適に使用することができる。
【発明を実施するための最良の形態】
【００１６】
本発明による送風式薬剤放散装置の一形態について説明する。この送風式薬剤放散装置は、基本的に、図１、図２、図３に示すように、薬剤を収める薬剤容器１と送風機２とをそれぞれ備え、この送風機２により吸込口３から空気を吸い込み、薬剤容器１より揮散した薬剤を吸い込んだ空気と共に放出口４から放散する装置本体５と、装置本体５とは別体となり、装置本体５の送風機２の動力源７を備える電源本体８と、電源本体８の動力源７から装置本体５の送風機２に通電するために装置本体５と電源本体８とにわたって連結する連結コード９と、から構成する。
【００１７】
次に、これらを具体的に説明すると、まず、装置本体５は略円形の上下短筒状であり、上面に円形状の大きく開口する吸込口３を形成すると共に、側面における一方側に複数のスリット状に開口する放出口４を形成する。なお、この吸込口３や放出口４の大きさや形、あるいは放出口４の位置や個数については、これらに限定されるものではない。
【００１８】
そして、この装置本体５の内部にあっては、その下部に送風機２を備える。この送風機２はモータ１１とこのモータ１１の出力軸に取り付ける遠心送風機の一種であるシロッコファン１２とからなる。このシロッコファン１２は円周方向にわたって等間隔に多数の羽根１３を傾斜させながら配置したものである。そして、モータ１１によりシロッコファン１２の多数の羽根１３を回転させることで、装置本体５上面の吸込口３から空気を吸い込み、吸い込んだ空気が装置本体５内で遠心方向に流れて、装置本体５側面の放出口４から外部に放散する。なお、この送風機２にあっては遠心送風機の一種であるシロッコファン１２を用いていたが、これに限定されるものではなく、他の送風ファン、例えば、駆動軸にプロペラ状の羽根車を備えたプロペラファン等でも良い。このプロペラファンを送風ファンとした場合、装置本体５においては、装置本体５の底面に通気穴を設けてこれを吸込口とし、前述の吸込口３を放出口としてこの放出口に後述する揮散性の薬剤を収める薬剤容器１を配置し、空気が送風ファンにより底面に設けた吸込口より吸い込まれ、送風ファンを介して放出口に配置された薬剤容器１内を通過して、揮散した薬剤が空気と共に外部に放散するようにする。
【００１９】
また、装置本体５の内部には揮散性の薬剤を収める薬剤容器１も備え、これは、薬剤容器１を装置本体５の上面に形成した吸込口３内に嵌め込み、送風機２の上方に配置する。そして、図４に示すように、この薬剤容器１は円形の薄型状で、上部体１４と下部体１５との間に薬剤を含浸させたシート状の薬剤保持体１６を挟み込むようにして上部体１４と下部体１５とを嵌合させたものであり、上部体１４と下部体１５とには大きな開口部１７，１８を形成し、この上部体１４の開口部１７と下部体１５の開口部１８とを介して空気が流通して、この空気の流通により薬剤保持体１６に含浸した薬剤が揮散する。
【００２０】
そして、この薬剤容器１において、内部に収める揮散性の薬剤としては、殺虫、忌避、消臭、芳香、防菌防黴等の目的に供する各種の薬剤である。なお、この揮散性の薬剤として殺虫を目的としたものにあっては、ピレスロイド系殺虫剤、カーバメート系殺虫剤、有機リン系殺虫剤等が挙げられ、その中でも、微量で長期間にわたって優れた効果を示すメトフルトリン、トランスフルトリン、エムペントリン、テラレスリン、プロフルトリン等が良い。
【００２１】
また、薬剤容器１あるいは薬剤保持体１６については、前述したものに限定されるものではなく、揮散性の薬剤を収めることができるものなら良い。例えば、薬剤保持体１６ではシート状ではなく、網状、格子状、ハニカム状、綿状、スポンジ状、さらには、薬剤を含浸させた多数の粒体を薬剤保持体１６としても良い。また、薬剤容器１にあっても、薬剤容器１自身の内部に薬剤を含浸させた薬剤保持体１６を設けるものではなく、薬剤容器１自身を硬質スポンジ体や発泡成形体等で製作して、薬剤容器１自身に薬剤を含浸させる、すなわち薬剤容器１自身が薬剤を保持するような形になるようにしても良い。このように薬剤容器１にあっては、形態、材質等は任意である。
【００２２】
また、装置本体５の下面には後述する被装着物に装着可能にするための装着手段６を取り付ける取り付け部１９を形成し、この取り付け部１９は薄細状で装置本体５の左右全長にわたって形成する貫通孔である。
【００２３】
そして、この装置本体５に被装着物に装着可能にするための装着手段６を取り付ける。この装着手段６としては、例えば、人の手首等に装着可能にするための柔軟性を有する長尺平帯状の着用バンド２１で、端部にバックル２２を備える。この着用バンド２１により、例えば、使用者の手首等に当該送風式薬剤放散装置における装置本体５を装着して使用することができる。
【００２４】
なお、この装着手段６である着用バンド２１は前述したものに限定されるものではなく、人の手首等に装着可能にする長さ数センチの寸法から人の腰や物に装着可能にする１，２メートルの寸法まで、長さは任意であり、また、横幅や厚みも使用する目的や場所、すなわち被装着物に応じて決めれば良く、帯状のものから紐状のものまでさまざまなもので良い。その原材料も特に限定されるものではなく、合成樹脂、皮革、布、繊維、ゴム等の既存材料のもので良い。また、着用バンド２１に備えた連結するための手段としては、前述のバックル２２に限定されるものではなく、例えば、ボタン形式、ホック形式、挿し込みベルト形式、面ファスナーテープ（マジックテープ：登録商標名）形式等でも良い。
【００２５】
さらに、この装着手段６にあっては、着用バンド２１に限定されるものではなく、図５に示すように、ズボンに装着するベルトやポケット等に引っ掛けるフック２３、または洋服等に直接取り付けるピンやクリップ等でも良い。
【００２６】
また、電源本体８は装置本体５の送風機２の動力源７を備え、この電源本体８は装置本体５とは別体である。そして、この電源本体８に備える動力源７としては電池２４であり、電源本体８は必要な電池２４、例えば２本の電池２４を収納するようにして、電池２４が収納することのできる必要最小限の大きさの箱体にする。なお、電池２４は通常の電池２４以外に充電方式の電池でも良い。一方、電源本体８を装置本体５と別体にすることで、この電源本体８に収納する電池２４を大きめのものに、また、数量も増やすように、すなわち電源本体８を大きくすることもでき、このようにすることにより、装置本体５への供給電圧を高めることができ、送風機２の制御、例えばファンの強弱等を調整することも可能にすると共に、当該送風式薬剤放散装置の長期間にわたる使用も可能にする。
【００２７】
なお、この電源本体８にも被装着物に装着可能にするための装着手段６を取り付けるようにしても良い。この装着手段６としても、前述したような着用バンド２１やフック２３、またはピンやクリップ等である。
【００２８】
そして、装置本体５と電源本体８とにわたって連結する連結コード９は、電源本体８内の動力源７である電池２４から装置本体５の送風機２に通電するために電線である。この連結コード９としてはできるだけ細くすることが望ましい。なお、この連結コード９にはその端部あるいは途中に巻き取り機構部を備えて、連結コード９の長さを任意の長さにできるようにしても良い。
【００２９】
また、図６に示すように、連結コード９に被装着物に装着可能にするための装着手段６を取り付ける。これは、例えば、この連結コード９の途中に装着手段６である着接部材２５を備えて、この着接部材２５は凹凸部を有し服等にくっつくようになる面ファスナーテープ（マジックテープ：登録商標名）である。ただし、この着接部材２５はこれに限定されるものではなく、着用バンド２１やフック２３、あるいは安全ピンや洗濯バサミ等であって、服等に連結コード９がくっつくようになるものなら良い。
【００３０】
また、この連結コード９にあっては、装置本体５と電源本体８の両方に対して取り外すことができるようにしている。
【００３１】
そして、装置本体５と電源本体８の両方に対して連結コード９を取り外せるようにしたことにより、図７に示すように、装置本体５の側面に凸状のピン２６を設けると共に、電源本体８の側面に穴状のジャック２７を設け、そして、連結コード９の一端にジャック２８を設けると共に、他端にピン２９を設ける。これにより、通常は装置本体５と電源本体８とを連結コード９を介して連結させて使用するが、使用状況に応じては装置本体５と電源本体８とを直接連結して使用できるようにする。
【００３２】
このように構成した送風式薬剤放散装置において、その使用例としては、装置本体５を使用者の手首や足、あるいは腰等に着用バンド２１を介して装着する。一方、電源本体８は使用者の服やズボンのポケット内に収納したり、あるいは着用バンド２１を介して腰等に装着する。そして、この装置本体５と電源本体８とにわたって連結コード９を連結し、電源本体８から連結コード９を介して装置本体５に電気を流して、装置本体５の送風機２を作動させる。そして、装置本体５において、送風機２によって、吸込口３から空気を吸い込み、吸い込んだ空気が装置本体５内部に備えた薬剤容器１内を通過し、薬剤容器１内を通過した空気と共に揮散した薬剤が側面に形成した放出口４から外部に放散する。また、装置本体５と電源本体８とを直接連結し、電源本体８から装置本体５に電気を流して、装置本体５の送風機２を作動させることによっても、薬剤が装置本体５の放出口４から外部に放散する。
【００３３】
以上のように、送風式薬剤放散装置を、送風機２により吸い込んだ空気と共に薬剤容器１より揮散した薬剤を放散する装置本体５と、装置本体５とは別体となり動力源７である電池２４を備える電源本体８と、装置本体５と電源本体８とにわたって連結する連結コード９とから構成することにより、一番の重量物となる動力源７である電池２４を備える電源本体８を装置本体５と別体にすることができ、装置本体５には薬剤容器１と送風機２とを備えただけとなり、装置本体５の小型化、軽量化を図ることができる。これにより、例えば、使用者が当該送風式薬剤放散装置の装置本体５を着用バンド２１により手首等にはめて、電源本体８をズボンや服のポケット等にしまって使用する場合、使用者は装置本体５の小型化、軽量化により不快な思いを感じることなく、極めて快適に使用することができる。さらに、装置本体５と電源本体８とを直接連結しての使用が可能となることで、使用者の使用状況に応じて使用方法を変えることで、使用者は常に最適な状態で使用することができる。
【００３４】
また、装置本体５と電源本体８とを別体として、これらを連結コード９で連結するようにしたことにより、例えば、装置本体５、電源本体８のどちらか一方が被装着物である使用者の身体から外れて落ちても、連結コード９により両者は連結していることから、装置本体５と電源本体８とが共になくなるといったこともなくすことができる。
【００３５】
また、装置本体５と電源本体８に対して連結コード９を取り外し可能にしたことにより、当該送風式薬剤放散装置を使用する際、装置本体５と電源本体８を被装着物である身体に装着した後に装置本体５又は電源本体８に連結コード９を連結すれば良く、装置本体５あるいは電源本体８の被装着物への装着が非常に簡単に行うことができる。
【００３６】
さらに、装置本体５又は電源本体８又は連結コード９、さらにはそれらの複数に被装着物に装着可能にするための装着手段６、例えば、着用バンド２１やフック２３、ピン、クリップ等を取り付けたことにより、当該送風式薬剤放散装置を被装着物である身体に容易に装着することができる。また、身体の一部位だけでなく、いろいろな部位に取り付けることもできる。
【００３７】
なお、本発明による送風式薬剤放散装置は、前述した形態のものに限定されるものではなく、例えば、電源本体８にあっては、動力源７である電池２４を備えるようにしていたが、この動力源７を太陽電池にして電源本体８に備えるようにしても良く、動力源７を太陽電池にした場合、図８に示すように、装置本体５を着用バンド２１により手首等にはめると共に、電源本体８を帽子のつばや肩等に貼り付けるように装着して、当該送風式薬剤放散装置を使用するようにしても良い。
【００３８】
また、当該送風式薬剤放散装置の使用例としても、人だけに使用するのではなく、例えば、犬等のペットに使用するようにしても良い。この場合、図９に示すように、装置本体５をペットの首輪３１にフック等の装着手段６により装着すると共に、電源本体８を人の手首等にはめる。そして、装置本体５と電源本体８とにわたって連結する連結コード９をペットの首輪３１から人の手までつながるリード３２と一体化させ、すなわち連結コード９入りのリード３２として、当該送風式薬剤放散装置をペット等に使用する。
【００３９】
また、装着手段６において、前述した各形態では装置本体５に必ず装着手段６を取り付けた例で説明していたが、これに限定されるものではなく、装置本体５、電源本体８、連結コード９の全てに取り付けるようにしても良く、また、どれか一つだけに取り付けるようにしても良い。なお、当該送風式薬剤放散装置において装着手段６を備えないようにしても良い。
【００４０】
また、装置本体５にあっては、前述した各形態では装置本体５の吸込口３に薬剤容器１を配置していたが、放出口４に取り付け手段を備えて、この放出口４に薬剤容器１を取り付けることも可能であり、さらに、吸込口３と放出口４の両方に薬剤容器１を取り付けることも可能である。また、送風機２のシロッコファン１２の内周側に、または外周側に薬剤容器１を配置して、薬剤容器１と送風機２を一体化させたり、送風機２において薬剤を保持したシロッコファン１２として、シロッコファン１２を着脱自在とする、あるいは、シロッコファン１２における多数の羽根１３の前面に通気性シート状の薬剤容器１を着脱自在とすることもできる。
【図面の簡単な説明】
【００４１】
【図１】本発明による送風式薬剤放散装置の斜視図である。
【図２】本発明による送風式薬剤放散装置の側面断面図である。
【図３】本発明による送風式薬剤放散装置の平面断面図である。
【図４】本発明による送風式薬剤放散装置における薬剤容器の分解斜視図である。
【図５】本発明による送風式薬剤放散装置における別の装着手段を示す斜視図である。
【図６】本発明による送風式薬剤放散装置における一使用例を示す説明図である。
【図７】本発明による送風式薬剤放散装置における装置本体と電源本体の別例を示す説明図である。
【図８】本発明による送風式薬剤放散装置における一使用例を示す説明図である。
【図９】本発明による送風式薬剤放散装置における一使用例を示す説明図である。
【図１０】従来の送風式薬剤放散装置の斜視図である。
【図１１】従来の送風式薬剤放散装置の側面断面図である。
【符号の説明】
【００４２】
１…薬剤容器、２…送風機、３…吸込口、４…放出口、５…装置本体、６…装着手段、７…動力源、８…電源本体、９…連結コード、１１…モータ、１２…シロッコファン、１３…羽根、１４…上部体、１５…下部体、１６…薬剤保持体、１７…開口部、１８…開口部、１９…取り付け部、２１…着用バンド、２２…バックル、２３…フック、２４…電池、２５…着接部材、２６…ピン、２７…ジャック、２８…ジャック、２９…ピン、３１…首輪、３２…リード、４１…装置本体、４２…吸込口、４３…放出口、４４…薬剤容器、４５…開口部、４６…送風機、４７…電池、４８…着用バンド、４９…バックル。
【図１】
0004627631.tif 000002
【図２】
0004627631.tif 000003
【図３】
0004627631.tif 000004
【図４】
0004627631.tif 000005
【図５】
0004627631.tif 000006
【図６】
0004627631.tif 000007
【図７】
0004627631.tif 000008
【図８】
0004627631.tif 000009
【図９】
0004627631.tif 000010
【図１０】
0004627631.tif 000011
【図１１】
0004627631.tif 000012